(57)【要約】【課題】本発明は、指紋入力によって使用許可の判断を行うプリンタにおいて、セキュリティを低下させることなく、異なる種類のラベルやタグ等に効率的に印字することができ、ラベルやタグ等への印字作業が簡便になり、ラベルやタグ等への印字作業の作業効率を向上させることができるプリンタおよび使用許可方法を提供することを課題とする。【解決手段】指紋判定部２によって使用許可が設定されると、印字制御部６は、使用範囲を制限する使用条件の入力を受け付けることによってラベルやタグ等への印字にかかる入力の受け付けを開始する。使用条件として、例えば印字枚数および印字書式数が入力され、入力された使用条件は、使用条件カウンタ７にセットされ、印字制御部６は、印字部９で印字されたラベルやタグ等が使用条件に到達した場合には、ラベルやタグ等への印字にかかる入力を受け付けない状態（使用許可が設定されていない状態）に戻る。【選択図】        図１
2004202967.tif 000002
【特許請求の範囲】
【請求項１】
ラベルやタグ等の印字媒体に印字するプリンタであって、
使用者の指紋を指紋データとして読み取る指紋読み取り手段と、
該指紋読み取り手段によって読み取られた前記指紋データに相当するデータの登録の有無を判断し、前記指紋データが登録されていると判断した場合に使用許可を設定する指紋判定手段と、
該指紋判定手段によって使用許可が設定された場合に、使用範囲を制限する使用条件の入力の受け付けを開始する印字制御手段と、
前記印字媒体に印字を行う印字手段とを具備し、
前記印字制御手段は、前記印字手段によって印字された前記印字媒体が前記使用条件に到達した場合には、前記指紋判定手段により設定された使用許可の設定を解除させることを特徴とするプリンタ。
【請求項２】
前記印字制御手段は、前記使用条件として前記印字媒体の印字枚数もしくは印字書式数を受け付けることを特徴とする請求項１記載のプリンタ。
【請求項３】
前記印字制御手段は、前記使用条件を超える印字指示が入力された場合には、前記指紋判定手段に再度の使用許可を要求させ、前記指紋判定手段によって再度の使用許可が設定された場合に、前記使用条件を超える印字指示に基づく印字を前記印字手段に行わせ、印字の終了後に前記指紋判定手段により設定された使用許可の設定を解除させることを特徴とする請求項１又は２記載のプリンタ。
【請求項４】
ラベルやタグ等の印字媒体に印字するプリンタにおける使用許可方法であって、
使用者の指紋を指紋データとして読み取り、
該読み取られた前記指紋データに相当するデータの登録の有無を判断し、
前記指紋データが登録されていると判断した場合に使用許可を設定し、
該使用許可を設定した場合に、使用範囲を制限する使用条件の入力の受け付け、
印字された前記印字媒体が前記使用条件に到達した場合には、前記設定した使用許可の設定を解除することを特徴とする使用許可方法。
【発明の詳細な説明】
【０００１】
【発明の属する技術分野】
本発明は、台紙に等間隔で仮着されているラベルやタグ等の印字媒体に対して印字を行うプリンタおよびその使用許可方法に関し、特に指紋の入力によって使用許可の判断を行うプリンタおよび使用許可方法に関する。
【０００２】
【従来の技術】
従来、プリンタ等の電子機器を使用する際に、使用者による使用を許可するか否かを判断する方法として、文字・数字の組み合わせからなるパスワードを照合することによって使用許可を設定するを行うパスワード使用許可方法が用いられている。
【０００３】
また、近年、パスワード使用許可方法以外にも、指紋を照合して使用者による使用を許可するか否かを判断する指紋使用許可方法も急速に普及してきており、指紋使用許可方法は、パスワード方法に比べてキーボードを使った入力や、パスワードのように覚えておく必要がなく、さらに指紋は使用者固有のものであるため、簡便さおよびセキュリティ面で有効的な方法である。
【０００４】
このような指紋使用許可方法を使用した電子機器としては、例えば、送信、印刷等の操作時の指紋入力によって使用許可の判断を行うことにより、送信時には、送信履歴データへの送信者名等の付加、印刷時には、印刷履歴データへの受信者名の付加等を行うための手段を提供するファクシミリシステムが提案されている（特許文献１参照）。
【０００５】
【特許文献１】
特開２００２−２７１５４１号公報
【０００６】
【発明が解決しようとする課題】
しかしながら、従来技術では、１回の送信および印刷毎に指紋入力による使用許可の判断を行っているが、ラベルやタグ等の印字媒体に対して印字を行うプリンタにおいては、１回の操作で複数種類のラベルやタグ等に印字することが多く、異なる種類のラベルやタグ等に印字する毎に指紋入力による使用許可の判断を行った場合には、ラベルやタグ等への印字作業が繁雑になり、ラベルやタグ等への印字作業の作業効率が低下してしまうという問題点があった。
【０００７】
また、１度の指紋による使用許可によって、以降のラベルやタグ等への印字作業を許可することも考えられるが、電源の切り忘れ等によって、第３者による不正使用の機会が増大してしまい、セキュリティが低下してしまうという問題点があった。
【０００８】
本発明は斯かる問題点を鑑みてなされたものであり、その目的とするところは、指紋入力によって使用許可の判断を行うプリンタにおいて、セキュリティを低下させることなく、異なる種類のラベルやタグ等に効率的に印字することができ、ラベルやタグ等への印字作業が簡便になり、ラベルやタグ等への印字作業の作業効率を向上させることができるプリンタおよび使用許可方法を提供する点にある。
【０００９】
【課題を解決するための手段】
本発明は上記課題を解決すべく、以下に掲げる構成とした。
請求項１記載の発明の要旨は、ラベルやタグ等の印字媒体に印字するプリンタであって、使用者の指紋を指紋データとして読み取る指紋読み取り手段と、該指紋読み取り手段によって読み取られた前記指紋データに相当するデータの登録の有無を判断し、前記指紋データが登録されていると判断した場合に使用許可を設定する指紋判定手段と、該指紋判定手段によって使用許可が設定された場合に、使用範囲を制限する使用条件の入力の受け付けを開始する印字制御手段と、前記印字媒体に印字を行う印字手段とを具備し、前記印字制御手段は、前記印字手段によって印字された前記印字媒体が前記使用条件に到達した場合には、前記指紋判定手段により設定された使用許可の設定を解除させることを特徴とするプリンタに存する。
また請求項２記載の発明の要旨は、前記印字制御手段は、前記使用条件として前記印字媒体の印字枚数もしくは印字書式数を受け付けることを特徴とする請求項１記載のプリンタに存する。
また請求項３記載の発明の要旨は、前記印字制御手段は、前記使用条件を超える印字指示が入力された場合には、前記指紋判定手段に再度の使用許可を要求させ、前記指紋判定手段によって再度の使用許可が設定された場合に、前記使用条件を超える印字指示に基づく印字を前記印字手段に行わせ、印字の終了後に前記指紋判定手段により設定された使用許可の設定を解除させることを特徴とする請求項１又は２記載のプリンタに存する。
また請求項４記載の発明の要旨は、ラベルやタグ等の印字媒体に印字するプリンタにおける使用許可方法であって、使用者の指紋を指紋データとして読み取り、該読み取られた前記指紋データに相当するデータの登録の有無を判断し、前記指紋データが登録されていると判断した場合に使用許可を設定し、該使用許可を設定した場合に、使用範囲を制限する使用条件の入力の受け付け、印字された前記印字媒体が前記使用条件に到達した場合には、前記設定した使用許可の設定を解除することを特徴とする使用許可方法に存する。
【００１０】
【発明の実施の形態】
以下、本発明の実施の形態を図面に基づいて詳細に説明する。
【００１１】
図１は、本発明に係るプリンタの実施の形態の構成を示すブロック図であり、図２は、図１に示す入力部、指紋読み取り部および表示部の構成を示す図であり、図３は、図１に示す印字部の構成を示す模式図であり、図４は、図１に示す履歴情報記憶部に記憶される履歴情報例を示す図である。
【００１２】
本実施の形態は、図１を参照すると、指紋読み取り部１と、指紋判定部２と、指紋データ登録部３と、表示部４と、入力部５と、印字制御部６と、使用条件カウンタ７と、印字情報記憶部８と、印字部９と、履歴情報記憶部１０とからなる。
【００１３】
指紋読み取り部１は、図２を参照すると、使用者の指を載せる指紋入力センサ１１と、使用者が指紋入力センサ１１上に指を載せたことを認識する図示しない圧力センサとからなり、使用者が指紋入力センサ１１上に指を載せたことを圧力センサによって認識し、指紋入力センサ１１によって指紋を指紋データとして読み取る。なお、指紋入力センサ１１としては、ＣＣＤや静電容量方式センサなど既存の技術を適用することができる。
【００１４】
指紋判定部２は、指紋読み取り部１によって読み取られた指紋データが指紋データ登録部３に登録されているか否かを判定して使用許可を判断するための手段であり、判定結果を印字制御部６に通知する。また、指紋判定部２は、指紋登録処理においては、指紋読み取り部１によって読みとれられた指紋データを指紋データ登録部３に登録する。
【００１５】
入力部５は、図２を参照すると、数字や文字を入力するテンキー５１と、入力を確定する入力キー５２と、指紋登録を指示する登録キー５３と、前操作に戻ることを指示する前画面キー５４と、印字レイアウト等の書式を呼び出す呼出しキー５５と、ラベルやタグ等への印字を指示する発行キー５６とからなる。
【００１６】
印字制御部６は、ラベルやタグ等に印字する印字処理を制御する手段であり、１度の使用許可の設定によって使用できる使用範囲を制限する使用条件の範囲内で、入力部５から選択入力された印字書式と、当該印字書式毎にそれぞれ入力された印字データとに基づいて印字部９を制御してラベルやタグ等に印字を行うと共に、ラベルやタグ等の印字を行った後、使用年月日と、使用者と、印字した書式と、入力した可変データと、印字枚数とからなる履歴情報を履歴情報記憶部１０に登録する。
【００１７】
使用条件カウンタ７は、入力部５から使用条件として入力された印字枚数と印字書式数とがセットされるカウンタであり、セットされた印字枚数と印字書式数とから、実際に印字されたラベルやタグ等の印字枚数と印字書式数とをそれぞれ減算する。
【００１８】
印字情報記憶部８は、ラベルやタグ等に印字する際の書式（印字レイアウト等）が記憶されている記憶手段であり、入力部５からの入力によって選択された書式を印字制御部６に出力する。
【００１９】
印字部９は、印字媒体がラベルである場合には、例えば図３に示すように、ラベルが台紙に等間隔で仮着されているロール状のラベル連続体９１が装着される供給リール９２と、ラベル連続体９１を搬送するプラテンローラ９３と、プラテンローラ９３との間にラベル連続体９１を挟持してラベルに印字をおこうなサーマルヘッド９４と、ラベル連続体９１の裏面に印字されているタイミングマークにより印字基点を検出する印字基点検出用光センサ９５とで構成し、台紙に等間隔で仮着されているラベルに対して印字を行う。
【００２０】
履歴情報記憶部１０は、カード式の不揮発性メモリ等の着脱自在な記憶手段であり、履歴情報が記憶される。履歴情報記憶部１０に記憶される履歴情報は、図４を参照すると、使用年月日と、使用者と、印字した書式と、印字データと、印字枚数とからなる。
【００２１】
次に、本実施の形態の指紋登録処理動作について図５を参照して詳細に説明する。
図５は、本発明に係るプリンタの実施の形態の指紋登録処理動作を説明するためのフローチャートである。
【００２２】
入力部５の登録キー５３が押下されると、指紋登録指示が入力部５から指紋判定部２に入力され（ステップＡ１）、指紋登録指示が入力された後に、使用者が指紋読み取り部１の指紋入力センサ１１に指を載せると、指紋読み取り部１は、指紋データを読み取り（ステップＡ２）、読み取った指紋データを登録用指紋データとして指紋判定部２に出力する。
【００２３】
指紋判定部２は、指紋読み取り部１から登録用指紋データを受信すると、受信した登録用指紋データが指紋データ登録部３に登録されているか否かを判定し（ステップＡ３）、登録用指紋データが指紋データ登録部３に登録されていない場合には、表示部４に使用者の氏名とパスワードとの入力を要求する表示を行う。なお、氏名の入力は、テンキーの機能を変更することにより、カタカナ等の入力を可能にすることができる。
【００２４】
使用者が入力部５のテンキー５１から氏名とパスワードとを入力して入力キー５２を押下することにより、氏名とパスワードとが入力部５から指紋判定部２に入力され（ステップＡ４）、指紋判定部２は、予め記憶しているパスワードとを比較して入力されたパスワードと比較することにより、入力されたパスワードが有効か否かを判定し（ステップＡ５）、入力されたパスワードが有効である場合には、登録用指紋データを使用者の氏名と共に指紋データ登録部３に登録し（ステップＡ６）、登録用指紋データの登録が完了したことを知らせるメッセージを表示部４に表示し（ステップＡ７）、指紋登録処理動作を終了する。
【００２５】
なお、指紋判定部２は、ステップＡ３で登録用指紋データが指紋データ登録部３に登録されていると判定した場合には、既に指紋データの登録が行われていることを知らせる警告メッセージを表示部４に表示し（ステップＡ８）、また、ステップＡ５で入力されたパスワードが有効でないと判定した場合には、パスワードが不一致であることを知らせる警告メッセージを表示部４に表示し（ステップＡ８）、登録用指紋データを指紋データ登録部３に登録することなく指紋登録処理動作を終了する。
【００２６】
次に、本実施の形態の印字処理動作について図６を参照して詳細に説明する。図６は、本発明に係るプリンタの実施の形態の印字処理動作を説明するためのフローチャートであり、図７は、使用条件入力画面例を示す図である。
【００２７】
印字制御部６は、使用許可が設定されていない場合には、ラベルやタグ等への印字にかかる入力、すなわち入力部５からの登録キー５３以外のキー入力を受け付けない状態にあり、使用者がラベルやタグ等に印字を行う場合には、まず指紋入力によって使用許可を設定させる必要がある。使用者が使用許可を設定させるために指紋読み取り部１の指紋入力センサ１１に指を載せると、指紋読み取り部１は、指紋データの読み取り（ステップＢ１）、読み取った指紋データを判定用指紋データとして指紋判定部２に出力する。
【００２８】
指紋判定部２は、指紋読み取り部１から判定用指紋データを受信すると、受信した判定用指紋データが指紋データ登録部３に登録されているか否かを判定し（ステップＢ２）、判定用指紋データが指紋データ登録部３に登録されていない場合には、指紋データが登録されておらず使用権限がないことを知らせる警告メッセージを表示部４に表示し（ステップＢ３）、印字処理動作を終了する。
【００２９】
指紋判定部２は、ステップＢ２で判定用指紋データが指紋データ登録部３に登録されていると判定した場合には、使用許可を設定すると共に、使用者の氏名を指紋データ登録部３から読み出し、使用許可が設定されたことを知らせる使用許可通知を使用者の氏名と共に印字制御部６に出力する。
【００３０】
印字制御部６は、指紋判定部２から使用許可通知を受信すると、図７に示す使用条件入力画面を表示部４に表示する。使用者が入力部５のテンキー５１から印字枚数と印字書式数とを入力して入力キー５２を押下することにより、印字枚数と印字書式数とからなる使用条件が入力部５から印字制御部６に入力され（ステップＢ４）、印字制御部６は、入力された印字枚数と印字書式数とからなる使用条件を使用条件カウンタ７にセットする（ステップＢ５）。なお、使用条件の入力は、印字枚数と印字書式数との両方を入力するようにしても良く、印字枚数と印字書式数とのいずれか一方のみを入力するようにしても良い。
【００３１】
印字制御部６は、ステップＢ４で入力部５から使用条件が入力されると、ラベルやタグ等への印字にかかる入力の受け付け開始を知らせる受け付け開始メッセージを表示部４に表示し、使用者は、ラベルやタグ等への印字にかかる入力を行う。ラベルやタグ等への印字にかかる入力として、入力部５の呼出しキー５５と入力キー５２とによって、印字する書式の選択入力を行うと共に（ステップＢ６）、ステップＢ６で選択した印字書式毎に、商品名、価格、製造日や賞味期限等の可変データや印字枚数等からなる印字データをそれぞれ入力し（ステップＢ７）、発行キー５６を押下して印字指示を入力する（ステップＢ８）。
【００３２】
入力部５から印字指示が入力されると、印字制御部６は、入力された印字枚数および印字書式数と、使用条件カウンタ７にセットされている印字枚数および印字書式数とをそれぞれ比較することで、入力された印字枚数および印字書式数が使用条件カウンタ７にセットされている印字枚数および印字書式数以下か否かを判定し（ステップＢ９）、入力された印字枚数および印字書式数が使用条件カウンタ７にセットされている印字枚数および印字書式数以下である場合には、印字部９を制御して選択入力された印字書式と、当該印字書式毎にそれぞれ入力された印字データとに基づいてラベルやタグ等に印字を行う（ステップＢ１０）。
【００３３】
印字制御部６は、ラベルやタグ等に印字を行った後、使用年月日と、使用者と、印字した書式と、入力した可変データと、印字枚数とからなる履歴情報を履歴情報記憶部１０に登録し（ステップＢ１１）、印字したラベルやタグ等の印字枚数と印字書式数とを使用条件カウンタ７にセットされている印字枚数と印字書式数とからそれぞれ減算し（ステップＢ１２）、減算した結果、使用条件カウンタ７にセットされている印字枚数と印字書式数とのいずれかが０になったか否かを判定する（ステップＢ１３）。ステップＢ１３で使用条件カウンタ７にセットされている印字枚数と印字書式数とのいずれかが０になったと判定された場合には、印字制御部６は、指紋判定部２に使用許可の設定を解除させると共に、使用許可が解除されたことを知らせる警告メッセージを表示部４に表示し（ステップＢ１４）、印字処理動作を終了し、ラベルやタグ等への印字にかかる入力を受け付けない状態（使用許可が設定されていない状態）に戻る。また、ステップＢ１３で使用条件カウンタ７にセットされている印字枚数と印字書式数とのいずれとも０になっていないと判定された場合には、ステップＢ６に戻る。
【００３４】
ステップＢ９で入力された印字枚数および印字書式数が使用条件カウンタ７にセットされている印字枚数および印字書式数より大きい場合には、印字制御部６は、指紋判定部２に再度の使用許可の設定を指示し、指紋判定部２は、再度の指紋入力を求める警告メッセージを表示部４に表示する（ステップＢ１５）。使用者が再度の使用許可の設定のために指紋読み取り部１の指紋入力センサ１１に指を載せると、指紋読み取り部１は、指紋データの読み取り（ステップＢ１６）、読み取った指紋データを判定用指紋データとして指紋判定部２に出力する。
【００３５】
指紋判定部２は、指紋読み取り部１から判定用指紋データを受信すると、受信した判定用指紋データが指紋データ登録部３に登録されているか否かを判定し（ステップＢ１７）、判定用指紋データが指紋データ登録部３に登録されていない場合には、指紋データが登録されておらず使用権限がないことを知らせる警告メッセージを表示部４に表示すると共に（ステップＢ３）、再度の使用許可が失敗したことを知らせる使用不許可通知を印字制御部６に出力し、印字制御部６は、印字処理動作を終了し、ラベルやタグ等への印字にかかる入力を受け付けない状態（使用許可が設定されていない状態）に戻る。
【００３６】
指紋判定部２がステップＢ１７で判定用指紋データが指紋データ登録部３に登録されていると判定した場合には、使用許可を設定すると共に、再度の使用許可が設定されたことを知らせる使用許可通知を印字制御部６に出力し、印字制御部６は、印字部９を制御して選択入力された印字書式と、当該印字書式毎にそれぞれ入力された印字データとに基づいてラベルやタグ等に印字を行い（ステップＢ１８）、ラベルやタグ等に印字を行った後、指紋判定部２に使用許可の設定を解除させると共に、使用年月日と、使用者と、印字した書式と、入力した可変データと、印字枚数とからなる履歴情報を履歴情報記憶部１０に登録し（ステップＢ１９）、印字処理動作を終了する。なお、履歴情報記憶部１０のデータは、例えば、使用者、商品名などはコード番号で記憶され、使用年月日、賞味期限日などのデータは数字などのデータで記憶される。
【００３７】
なお、本実施の形態では、使用条件カウンタ７に使用条件として印字枚数と印字書式数との両方がセットされた場合について説明したが、先に説明したように使用条件として印字枚数と印字書式数とのいずれか一方のみを入力するようにしても良く、ステップＢ４で印字枚数と印字書式数とのいずれか一方のみが入力された場合には、ステップＢ５で入力された印字枚数と印字書式数とのいずれか一方のみが使用条件カウンタ７にセットされ、ステップＢ９とステップＢ１３とでは、使用条件カウンタ７にセットされた印字枚数と印字書式数とのいずれか一方のみを対象とした処理が行われる。
【００３８】
以上説明したように、本実施の形態によれば、指紋入力による使用許可の設定と共に、１度の使用許可の設定による使用範囲を制限する使用条件を入力し、１度の使用許可の設定によって印字するラベルやタグ等の印字枚数、もしくは印字書式数を制限するように構成することにより、電源の切り忘れによる第三者の不正使用を防止することができ、セキュリティを低下させることなく、異なる種類のラベルやタグ等に効率的に印字を行うことができ、ラベルやタグ等への印字作業が簡便になり、ラベルやタグ等への印字作業の作業効率を向上させることができるという効果を奏する。
【００３９】
さらに、本実施の形態によれば、設定した使用条件を超える印字指示の場合にも、再度指紋入力によって、再度の使用許可が設定された場合には、ラベルやタグ等への印字を行えるように構成することにより、ラベルやタグ等への印字にかかる入力を無駄にすることなく、ラベルやタグ等への印字作業の作業効率を向上させることができるという効果を奏する。
【００４０】
さらに、本実施の形態によれば、使用年月日と、使用者と、印字した書式と、入力した可変データと、印字枚数とからなる履歴情報を履歴情報記憶部１０に登録するように構成することにより、印字作業を行った使用者と、当該使用者が行った印字作業の内容とを管理者が容易に把握でき、印字したラベルやタグ等の管理を正確に行うことができ、また、製造日や賞味期限等の印字情報の管理をすることができると共に、使用者の特定することができるため、不正使用を防止することができるという効果を奏する。
【００４１】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【００４２】
【発明の効果】
本発明のプリンタおよび使用許可方法は、指紋入力による使用許可の設定と共に、１度の使用許可の設定による使用範囲を制限する使用条件を入力し、１度の使用許可の設定によって印字するラベルやタグ等の印字枚数、もしくは印字書式数を制限するように構成することにより、電源の切り忘れによる第三者の不正使用を防止することができ、セキュリティを低下させることなく、異なる種類のラベルやタグ等に効率的に印字を行うことができ、ラベルやタグ等への印字作業が簡便になり、ラベルやタグ等への印字作業の作業効率を向上させることができるという効果を奏する。
【００４３】
さらに、本発明のプリンタおよび使用許可方法は、設定した使用条件を超える印字指示の場合にも、再度指紋入力によって、再度の使用許可が設定された場合には、ラベルやタグ等への印字を行えるように構成することにより、ラベルやタグ等への印字にかかる入力を無駄にすることなく、ラベルやタグ等への印字作業の作業効率を向上させることができるという効果を奏する。
【００４４】
さらに、本発明のプリンタおよび使用許可方法は、使用年月日と、使用者と、印字した書式と、入力した可変データと、印字枚数とからなる履歴情報を履歴情報記憶部に登録するように構成することにより、印字作業を行った使用者と、当該使用者が行った印字作業の内容とを管理者が容易に把握でき、印字したラベルやタグ等の管理を正確に行うことができ、また、製造日や賞味期限等の印字情報の管理をすることができると共に、使用者の特定することができるため、不正使用を防止することができるという効果を奏する。
【図面の簡単な説明】
【図１】本発明に係るプリンタの実施の形態の構成を示すブロック図である。
【図２】図１に示す入力部、指紋読み取り部および表示部の構成を示す図である。
【図３】図１に示す印字部の構成を示す模式図である。
【図４】図１に示す履歴情報記憶部に記憶される履歴情報例を示す図である。
【図５】本発明に係るプリンタの実施の形態の指紋登録処理動作を説明するためのフローチャートである。
【図６】本発明に係るプリンタの実施の形態の印字処理動作を説明するためのフローチャートである。
【図７】使用条件入力画面例を示す図である。
【符号の説明】
１  指紋読み取り部（指紋読み取り手段）
２  指紋判定部（指紋判定手段）
３  指紋データ登録部
４  表示部
５  入力部
６  印字制御部（印字制御手段）
７  使用条件カウンタ
８  印字情報記憶部
９  印字部（印字手段）
１０  履歴情報記憶部
１１  指紋入力センサ
５１  テンキー
５２  入力キー
５３  登録キー
５４  前画面キー
５５  呼出しキー
５６  発行キー
９１  ラベル連続体
９２  供給リール
９３  プラテンローラ
９４  サーマルヘッド
９５  印字基点検出用光センサ
【図１】
2004202967.tif 000003
【図２】
2004202967.tif 000004
【図３】
2004202967.tif 000005
【図４】
2004202967.tif 000006
【図５】
2004202967.tif 000007
【図６】
2004202967.tif 000008
【図７】
2004202967.tif 000009